(57)【要約】【課題】血管の狭窄等に関連する情報を表示できる血圧計を提供すること。【解決手段】生体の一部において血圧を測定する第１の血圧測定手段（２３、２７、２９）及び第２の血圧測定手段（２５、２７、２９）と、前記第１の血圧測定手段の測定結果である第１の血圧値と、前記第２の血圧測定手段の測定結果である第２の血圧値との差Ｄ又は前記差Ｄに基き算出された値を表示する表示手段（７、９）とを備えることを特徴とする血圧計（１）。前記第１の血圧測定手段及び第２の血圧測定手段は、例えば、それぞれ、前記一部において脈波を測定する脈波測定手段（２３、２５）と、前記脈波に基き血圧を推定する血圧推定手段（２９）とを備えることができる。【選択図】 図１
2015043882.tif 000002
【特許請求の範囲】
【請求項１】
生体の一部において血圧を測定する第１の血圧測定手段及び第２の血圧測定手段と、
前記第１の血圧測定手段の測定結果である第１の血圧値と、前記第２の血圧測定手段の測定結果である第２の血圧値との差Ｄ又は前記差Ｄに基き算出された値を表示する表示手段と、
を備えることを特徴とする血圧計。
【請求項２】
前記第１の血圧測定手段及び第２の血圧測定手段は、それぞれ、前記一部において脈波を測定する脈波測定手段と、前記脈波に基き血圧を推定する血圧推定手段と、を備えることを特徴とする請求項１に記載の血圧計。
【請求項３】
カフを用いて血圧を測定する第３の血圧測定手段と、
前記第３の血圧測定手段の測定結果である第３の血圧値と、前記第１の血圧値又は前記第２の血圧値との差に基き、前記第１の血圧値又は前記第２の血圧値を校正する校正手段と、
を備えることを特徴とする請求項２に記載の血圧計。
【請求項４】
前記表示手段の表示を、上下方向については反転させるとともに、前記表示手段に表示されている事項の左右方向における位置関係は維持する表示変更手段を備えることを特徴とする請求項１〜３のいずれか１項に記載の血圧計。
【請求項５】
前記表示手段は、前記差Ｄ又は前記差Ｄに基き算出された値の履歴を表示することを特徴とする請求項１〜４のいずれか１項に記載の血圧計。
【発明の詳細な説明】
【技術分野】
【０００１】
本発明は、血圧計に関する。
【背景技術】
【０００２】
従来、種々の血圧計が提案されている（特許文献１、２参照）。特許文献１記載の血圧計は、左右の外耳に装着したカフから脈波を検出し、検出された脈波から血圧を判定する。また、特許文献２記載の血圧計は、四肢に装着して血圧を測定するためのカフを複数そなえている。  
【先行技術文献】
【特許文献】
【０００３】
【特許文献１】特開２００６−２１２１７８号公報
【特許文献２】特開２００６−２８０８０９号公報
【発明の概要】
【発明が解決しようとする課題】
【０００４】
従来の血圧計は、血圧の測定値自体は表示できても、血管の狭窄等に関連する情報を表示することはできなかった。本発明は以上の点に鑑みなされたものであり、上述した課題を解決できる血圧計を提供することを目的とする。
【課題を解決するための手段】
【０００５】
本発明の血圧計は、生体の一部において血圧を測定する第１の血圧測定手段及び第２の血圧測定手段と、前記第１の血圧測定手段の測定結果である第１の血圧値と、前記第２の血圧測定手段の測定結果である第２の血圧値との差Ｄ又は前記差Ｄに基き算出された値を表示する表示手段とを備える。
【０００６】
本発明の血圧計は、前記差Ｄ、又は前記差Ｄに基き算出された値を表示することができる。血圧計の使用者（例えば医者）は、前記差Ｄ、又は前記差Ｄに基き算出された値から、患者の血管の問題（例えば、患者の体の左右のうち、血圧が低い側の血管の狭窄、大動脈剥離、大動脈炎症候群等）を診断することができる。
【０００７】
前記第１の血圧測定手段及び第２の血圧測定手段は、例えば、それぞれ、前記一部において脈波を測定する脈波測定手段と、前記脈波に基き血圧を推定する血圧推定手段とを備えることができる。この場合、血圧を一層容易に測定することができる。
【０００８】
本発明の血圧計は、例えば、カフを用いて血圧を測定する第３の血圧測定手段と、前記第３の血圧測定手段の測定結果である第３の血圧値と、前記第１の血圧値又は前記第２の血圧値との差に基き、前記第１の血圧値又は前記第２の血圧値を校正する校正手段とを備えることができる。この場合、血圧を一層正確に測定できる。
【０００９】
本発明の血圧計は、例えば、前記表示手段の表示を、上下方向については反転させるとともに、前記表示手段に表示されている事項の左右方向における位置関係は維持する表示変更手段を備えることができる。この場合、表示手段の表示内容を、血圧計の両側にいる者に対し、分かり易く表示することができる。
【００１０】
前記表示手段は、例えば、前記差Ｄ又は前記差Ｄに基き算出された値の履歴を表示することができる。この場合、差Ｄ等の時間的な変化の傾向を一層容易に理解することができる。
【図面の簡単な説明】
【００１１】
【図１】血圧計１の構成を表すブロック図である。
【図２】血圧計１の構成を表す斜視図である。
【図３】脈波検出プローブ左手用２３の構成を表す説明図である。
【図４】血圧計１が実行する処理を表すフローチャートである。
【図５】表示部９における表示例を表す説明図である。
【図６】表示部９における表示例を表す説明図である。
【図７】第１の表示変更処理における表示の変化を表す説明図であって、７Ａは変更前の表示態様を表し、７Ｂは変更後の表示態様を表す。
【図８】履歴表示態様を表す説明図である。
【発明を実施するための形態】
【００１２】
本発明の実施形態を図面に基き説明する。
１．血圧計１の構成
血圧計１の構成を図１〜図３に基き説明する。図１に示すように、血圧計１は、脈波による血圧測定部３、カフによる血圧測定部５、制御部７、表示部９、入力部１１、右プローブスイッチ１３、左プローブスイッチ１５、右校正ボタン１７、左校正ボタン１９、カフ使用／不使用ボタン２１、及び表示変更スイッチ２２を備えている。
【００１３】
脈波による血圧測定部３は、患者の右手の指、及び左手の指において、それぞれ、脈波に基き血圧（収縮期血圧と拡張期血圧）を測定するものである。脈波による血圧測定部３は、脈波検出プローブ左手用２３、脈波検出プローブ右手用２５、脈波信号取得部２７、及び血圧推定部２９を備える。
【００１４】
脈波検出プローブ左手用２３は、患者の左手の指先（生体の一部の一実施形態）における脈波を検出する。また、脈波検出プローブ右手用２５は、同じ患者の右手の指先（生体の一部の一実施形態）における脈波を検出する。なお、脈波検出プローブ左手用２３及び脈波検出プローブ右手用２５の詳細な構成は後述する。
【００１５】
脈波信号取得部２７は、脈波検出プローブ左手用２３及び脈波検出プローブ右手用２５で検出した脈波の信号を取得し、血圧推定部２９に出力する。血圧推定部２９は、脈波検出プローブ左手用２３で取得した脈波に基き、患者の左手の血圧を推定する。また、血圧推定部２９は、脈波検出プローブ右手用２５で取得した脈波に基き、同じ患者の右手の血圧を推定する。
【００１６】
脈波に基き左手の血圧、及び右手の血圧を推定する方法としては、公知の方法を適宜用いることができ、例えば、特許第５２１８１３６号公報記載の方法を用いることができる。この方法は以下のものである。まず、脈波信号から得られる生体情報の特徴量と血圧との関係を、所定の血圧毎に（例えば、８０〜１６０ｍｍＨｇの範囲で１ｍｍＨｇ毎に）事前学習によって予め得ておく。血圧の推定を行う場合、測定によって得られた生体情報の特徴量に対し、複数の異なる前記所定の血圧について、それぞれ２値化判別（その特徴量に対応する血圧が所定の血圧未満か以上か）を行う。そして、２値化判別の判別結果に基づいて、各血圧毎の２値化判別結果を並べた２値数列を作成し、この２値数列と前もって準備された符号表における各血圧毎の数列とを対比して血圧を推定する。
【００１７】
ここで、前記脈波信号から得られる生体情報の特徴量としては、速度脈波、加速度脈波、容積ＡＩ等を用いることができる。また、血圧の２値化のための識別関数は、例えば、アダブーストにより生成することができる。また、脈波に基き左手の血圧、及び右手の血圧を推定する他の方法としては、例えば、特開２００９−８９８２８号公報記載の方法を用いてもよい。
【００１８】
カフによる血圧測定部５は、カフを用いて血圧を測定可能な周知の構成であって、患者の右手又は左手に装着可能なカフ３１、カフ３１における圧力を測定する圧力センサ３３、カフ３１における圧力を制御する圧力制御部３５、及び血圧測定部３７を備える。
【００１９】
カフ３１、圧力センサ３３、及び圧力制御部３５は相互にエアチューブ３９で連結されており、空気を流通させることができる。血圧測定部３７は、圧力センサ３３及び圧力制御部３５の出力に基き血圧を測定する。
【００２０】
制御部７は、ＣＰＵ、ＲＯＭ、ＲＡＭ等（いずれも図示略）を備える周知のコンピュータであり、後述する処理を実行する。表示部９は、図２に示すように、血圧計１の筐体４１における一部に設けられた液晶ディスプレイであり、各種画像を表示可能である。
【００２１】
入力部１１は、右プローブスイッチ１３、左プローブスイッチ１５、右校正ボタン１７、左校正ボタン１９、カフ使用／不使用ボタン２１、及び表示変更スイッチ２２から入力結果を取得し、それらの入力結果を制御部７に出力する。
【００２２】
右プローブスイッチ１３は、それがＯＮのとき、脈波検出プローブ右手用２５による測定を実行させ、それがＯＦＦのとき、脈波検出プローブ右手用２５による測定を停止する。また、左プローブスイッチ１５は、それがＯＮのとき、脈波検出プローブ左手用２３による測定を実行させ、それがＯＦＦのとき、脈波検出プローブ左手用２３による測定を停止する。なお、右プローブスイッチ１３及び左プローブスイッチ１５の構成は、後に、脈波検出プローブ左手用２３の構成と併せて説明する。
【００２３】
右校正ボタン１７及び左校正ボタン１９は、それぞれ、図２に示すように、筐体４１の上面に設けられた押しボタン方式のスイッチである。右校正ボタン１７を押すと、右手の血圧に関する、後述する校正値の記憶が実行される。また、左校正ボタン１９を押すと、左手の血圧に関する、後述する校正値の記憶が実行される。
【００２４】
カフ使用／不使用ボタン２１は、図２に示すように、筐体４１の上面に設けられたスイッチであって、ノブ２１Ａを水平方向にスライド可能なスイッチである。ノブ２１Ａは、「カフ使用する」の側と、「カフ使用しない」の側とのうちの一方にスライドさせることができる。ノブ２１Ａが「カフ使用する」の側にあるとき、脈波による血圧測定部３を用いて右手の血圧及び左手の血圧を測定すると、自動的に、カフによる血圧測定部５を用いた測定も実行される。
【００２５】
一方、ノブ２１Ａが「カフ使用しない」の側にあるときは、脈波による血圧測定部３を用いて右手の血圧及び左手の血圧を測定しても、カフによる血圧測定部５を用いた測定は実行されない。
【００２６】
表示変更スイッチ２２は、表示部９における表示態様の変更を指示するスイッチである。表示態様の変更について詳しくは後述する。
次に、図２及び図３に基き、脈波検出プローブ左手用２３及び脈波検出プローブ右手用２５の構成を説明する。脈波検出プローブ左手用２３及び脈波検出プローブ右手用２５は、図２に示すように、血圧計１の筐体４１における上面に設けられている。脈波検出プローブ左手用２３の位置は、筐体４１における左寄りの位置であり、患者の左手１０１の指１０１Ａを乗せるのに好適な位置である。また、脈波検出プローブ右手用２５の位置は、筐体４１における右寄りの位置であり、同じ患者の右手１０３の指１０３Ａを乗せるのに好適な位置である。
【００２７】
脈波検出プローブ左手用２３は、図３に示すように、レンズ４３、発光部４５、受光部４７、基板４９、及びレンズ支持体５１を備える。
レンズ４３は、レンズ支持体５１の上面５１Ａにおける中央に設けられており、上下方向に光を透過可能である。発光部４５、及び受光部４７はレンズ４３の下方に位置し、基板４９上に設けられている。発光部４５は発光ダイオードから成り、緑色の光（５０００Å〜８０００Åの波長を含む光）を、レンズ４３を通して上方に照射する。なお、この光は、レンズ４３上に置かれた患者の指の毛細血管内で反射される。その反射光は、レンズ４３を通り、受光部４７で受光される。受光部４７はフォトダイオードであり、上記の光を受光したとき、電気信号（脈波信号）を出力する。
【００２８】
レンズ支持体５１は、下方が開放した略箱状の基本形態を有するとともに、その下端付近において、外側に張り出すフランジ部５１Ｂを有している。レンズ支持体５１のうち、フランジ部５１Ｂ以外の部分は、筐体４１に設けられた矩形の開口部５３内にはめ込まれており、フランジ部５１Ｂは、開口部５３周辺の筐体４１の下側に潜り込んでいる。発光部４５、受光部４７、及び基板４９はレンズ支持体５１の内部に収容され、レンズ支持体５１に対する位置が一定となるように固定されている。
【００２９】
フランジ部５１Ｂの底面と後述する支持体５５との間にはバネ５４が設けられており、レンズ支持体５１を上方向に付勢している。そのため、レンズ支持体５１及びレンズ４３を患者の指で押圧していないときは、フランジ部５１Ｂが筐体４１の裏面に当接するまで、レンズ支持体５１は上方に押し上げられている。一方、レンズ支持体５１及びレンズ４３を患者の指で下向きに押圧すると、バネ５４が縮み、レンズ支持体５１は下方に移動する。
【００３０】
脈波検出プローブ左手用２３の下方には、左プローブスイッチ１５が設けられている。左プローブスイッチ１５は、支持体５５、固定端子５７、可動端子５９、及び押圧片６１を備える。支持体５５は、その上面に固定端子５７及び可動端子５９を支持する。可動端子５９は可動であり、固定端子５７に接触する位置にも、非接触の位置にも移動することができる。固定端子５７と可動端子５９とが接触しているとき、左プローブスイッチ１５はＯＮであり、両者が非接触であるとき、左プローブスイッチ１５はＯＦＦである。
【００３１】
押圧片６１は、基板４９の下面から下方に突出する部材である。そのため、押圧片６１は、基板４９の上下動（すなわちレンズ支持体５１の上下動）にともなって上下動する。レンズ支持体５１の位置が上方である場合、押圧片６１も上方に位置し、可動端子５９は押し下げられず、固定端子５７と可動端子５９とは非接触となる（左プローブスイッチ１５はＯＦＦとなる）。
【００３２】
一方、レンズ支持体５１が患者の指で押し下げられたとき、押圧片６１の位置も下がり、押圧片６１が可動端子５９を固定端子５７の方向に押圧して両者を接触させ、左プローブスイッチ１５はＯＮとなる。
【００３３】
よって、患者が指でレンズ支持体５１及びレンズ４３を押し下げない状態においては、左プローブスイッチ１５はＯＦＦとなり、一方、患者が指でレンズ支持体５１及びレンズ４３を押し下げたとき、左プローブスイッチ１５はＯＮとなる。
【００３４】
なお、脈波検出プローブ右手用２５も、脈波検出プローブ左手用２３と同様の構成を有する。また、脈波検出プローブ右手用２５の下方には、右プローブスイッチ１３と同様の構成を有する左プローブスイッチ１５が位置し、右プローブスイッチ１３と同様に動作する。
【００３５】
脈波検出プローブ左手用２３、脈波信号取得部２７、及び血圧推定部２９は、第１の血圧測定手段の一実施形態であり、脈波検出プローブ右手用２５、脈波信号取得部２７、及び血圧推定部２９は、第２の血圧測定手段の一実施形態であり、制御部７及び表示部９は、表示手段の一実施形態であり、脈波検出プローブ左手用２３及び脈波検出プローブ右手用２５は、脈波測定手段の一実施形態であり、血圧推定部２９は、血圧推定手段の一実施形態であり、カフによる血圧測定部５は、第３の血圧測定手段の一実施形態であり、制御部７は、校正手段及び表示変更手段の一実施形態である。
【００３６】
２．血圧計１が実行する血圧測定処理
血圧計１（特に制御部７）が実行する血圧測定処理を図２、図４〜図６に基き説明する。なお、この処理は、患者が、図２に示すように、右手１０３の指１０３Ａを脈波検出プローブ右手用２５の上にのせ、レンズ支持体５１を押し込んで、右プローブスイッチ１３をＯＮとし、また、左手１０１の指１０１Ａを脈波検出プローブ左手用２３の上にのせ、レンズ支持体５１を押し込んで、左プローブスイッチ１５をＯＮとしたときに実行される。
【００３７】
図４のステップ１では、カフ使用／不使用ボタン２１が「カフ使用しない」の状態であるか否かを判断する。「カフ使用しない」の状態である場合はステップ２に進み、「カフ使用する」の状態である場合はステップ７に進む。
【００３８】
ステップ２では、脈波による血圧測定部３を用いて、右手の血圧、及び左手の血圧を測定する。
ステップ３では、制御部７に記憶した校正値があるか否かを判断する。記憶した校正値がある場合はステップ４に進み、記憶した校正値がない場合はステップ５に進む。なお、校正値とは、同一の患者の同一部位（例えば、右手、又は左手）について、脈波による血圧測定部３での測定値をＡ１とし、カフによる血圧測定部５での測定値をＡ２としたとき、（Ａ１−Ａ２）で表される値である。校正値には、右手用の校正値と、左手用の校正値とがある。校正値は、後述するステップ１４において記憶される。
【００３９】
ステップ４では、前記ステップ２で測定した右手の血圧及び左手の血圧を校正する。具体的には、前記ステップ２で測定した右手の血圧から、右手用の校正値を差し引く。差し引いた後の値を、校正後の右手の血圧とする。また、前記ステップ２で測定した左手の血圧から、左手用の校正値を差し引く。差し引いた後の値を、校正後の左手の血圧とする。
【００４０】
ステップ５では、血圧の測定結果を表示部９に表示する。この測定結果とは、前記ステップ３で肯定判断した場合は、校正後の右手の血圧と、校正後の左手の血圧とであり、前記ステップ３で否定判断した場合は、前記ステップ２で測定した右手の血圧及び左手の血圧である。また、表示部９には、右手の血圧から左手の血圧を差し引いた差Ｄも表示する。
【００４１】
表示部９の表示例を図５に示す。図５において、「右手」の列が右手の血圧を表し、「左手」の列が左手の血圧を表し、「差（右−左）」の列が差Ｄを表す。
ステップ６では、前記ステップ２で測定した血圧、及びステップ３で校正した値（ただしステップ３を実行した場合）を記憶する。
【００４２】
一方、前記ステップ１で「カフ使用する」の状態であると判断した場合はステップ７に進み、前記ステップ２と同様に、脈波による血圧測定部３を用いて、右手の血圧、及び左手の血圧を測定する。
【００４３】
ステップ８では、カフによる血圧測定部５を用いて、患者の体のうち、カフが取り付けられている部分（右手又は左手）の血圧を測定する。
ステップ９では、前記ステップ３と同様に、記憶した校正値があるか否かを判断する。記憶した校正値がある場合はステップ１０に進み、記憶した校正値がない場合はステップ１１に進む。
【００４４】
ステップ１０では、前記ステップ４と同様に、前記ステップ７で測定した右手の血圧及び左手の血圧を校正する。具体的には、前記ステップ７で測定した右手の血圧から、右手用の校正値を差し引き、校正後の右手の血圧とする。また、前記ステップ７で測定した左手の血圧から、左手用の校正値を差し引き、校正後の左手の血圧とする。
【００４５】
ステップ１１では、血圧の測定結果を表示部９に表示する。この測定結果とは、前記ステップ９で肯定判断した場合は、校正後の右手の血圧と、校正後の左手の血圧とであり、前記ステップ９で否定判断した場合は、前記ステップ７で測定した右手の血圧及び左手の血圧である。また、表示部９には、右手の血圧から左手の血圧を差し引いた差Ｄも表示する。さらに、表示部９には、前記ステップ８でカフによる血圧測定部５を用いて測定した血圧も表示する。
【００４６】
表示部９の表示例を図６に示す。図６において、「右手」の列が右手の血圧を表し、「左手」の列が左手の血圧を表し、「差（右−左）」の列が差Ｄを表し、「カフ」の列が、カフによる血圧測定部５を用いて測定した血圧を表す。
【００４７】
ステップ１２では、前記ステップ７、８で測定した血圧、及びステップ１０で校正した値（ただしステップ１０を実行した場合）を記憶する。  
ステップ１３では、右校正ボタン１７、及び左校正ボタン１９のうちの一方でも押圧されたか否かを判断する。一方でも押圧された場合はステップ１４に進み、いずれも押圧されていない場合は本処理を終了する。
【００４８】
ステップ１４では、右校正ボタン１７が押圧された場合は、右手の血圧（前記ステップ１０を実行した場合は校正後の右手の血圧）から、カフによる血圧測定部５の測定値を差し引き、その値を、右手用の校正値とする。そして、右手用の校正値を制御部７に記憶する。
【００４９】
また、左校正ボタン１９が押圧された場合は、左手の血圧（前記ステップ１０を実行した場合は校正後の左手の血圧）から、カフによる血圧測定部５での測定値を差し引き、その値を、左手用の校正値とする。そして、左手用の校正値を制御部７に記憶する。
【００５０】
また、右校正ボタン１７と左校正ボタン１９との両方が押圧された場合は、右手用の校正値と左手用の校正値との両方を算出し、それらを制御部７に記憶する。
なお、カフが患者の右手に取り付けられている場合、ユーザは、右校正ボタン１７を押圧し、左校正ボタン１９は押圧しないことが好ましい。また、カフが患者の左手に取り付けられている場合、ユーザは、左校正ボタン１９を押圧し、右校正ボタン１７は押圧しないことが好ましい。脈波を検出した手とは反対側の手で測定した、カフによる血圧測定部５での測定値を用いて校正値を算出することは好ましくないためである。
【００５１】
３．血圧計１が実行する第１の表示変更処理
血圧計１が実行する第１の表示変更処理を図７に基き説明する。第１の表示変更処理は、表示部９に、例えば図７Ａに示すような測定結果が表示されている状態において、表示変更スイッチ２２に対し、第１の表示変更処理に対応する操作（以下、第１の操作とする）が行われたときに実行される。
【００５２】
第１の操作が行われると、表示部９の表示態様が、図７Ａに示す表示態様（以下、変更前の表示態様）から、図７Ｂに示す表示態様（以下、変更後の表示態様とする）に変更される。
【００５３】
変更後の表示態様は、変更前の表示態様に比べて、上下方向については反転している。ただし、表示部９に表示されている事項の左右方向における位置関係は、変更後の表示態様と変更前の表示態様とで同一である（位置関係が維持されている）。
【００５４】
すなわち、変更後の表示態様と変更前の表示態様とのいずれにおいても、血圧計１の手前側（図５、図６における下側）から見て、「差（右−左）」の列が最も右側にあり、「右手」の列が右から２番目にあり、「左手」の列が右から３番目にあり、「カフ」の列が最も左側にある。
【００５５】
また、表示部９に変更後の表示態様が表示されている状態において、再び第１の操作が行われると、表示部９の表示態様は、変更前の表示態様に戻る。
なお、表示部９に、図７に示すような、「カフ使用しない」の状態における測定結果が表示されている場合でも、第１の表示変更処理を実行することができる。
【００５６】
４．血圧計１が実行する第２の表示変更処理
血圧計１が実行する第２の表示変更処理を図８に基き説明する。第２の表示変更処理は、表示部９に測定結果が表示されている状態において、表示変更スイッチ２２に対し、第２の表示変更処理に対応する操作（以下、第２の操作とする）が行われたときに実行される。
【００５７】
第２の操作が行われると、表示部９の表示態様が、図８に示す表示態様（以下、履歴表示態様とする）に変更される。この履歴表示態様は、差Ｄの履歴を表示するグラフであって、グラフの横軸は時間軸であり、縦軸は差Ｄの軸である。なお、過去の差Ｄは、前記ステップ６、ステップ１２において記憶されたものである。
【００５８】
また、表示部９に履歴表示態様が表示されている状態において、再び第２の操作が行われると、表示部９の表示態様は、当初の表示態様に戻る。
５．血圧計１が奏する効果
（１）血圧計１は、右手の血圧から左手の血圧を差し引いた差Ｄを表示することができる。血圧計１の使用者（例えば医者）は、この差Ｄに基き、患者の血管の問題（例えば、患者の体の左右のうち、血圧が低い側の血管の狭窄、大動脈剥離、大動脈炎症候群等）を診断することができる。
（２）血圧計１は、カフによる血圧測定部５での測定値に基き校正値を作成し、その校正値を用いて、右手の血圧及び左手の血圧を校正することができる。その結果、血圧を一層正確に測定できる。
（３）血圧計１は、脈波による血圧測定部３を用いて、脈波に基き血圧を測定する。そのため、血圧を容易に測定することができる。
（４）血圧計１は、第１の表示変更処理を実行し、表示部９における表示態様を、上下方向については反転させることができる。そのことにより、血圧計１の向こう側（図５、図６における上側）にいる者に対し、表示部９の表示内容を分かり易く示すことができる。
【００５９】
しかも、表示部９に表示されている事項の左右方向における位置関係は、第１の表示変更処理の実行後でも同一である。例えば、図７Ａ、７Ｂにおいて、「差（右−左）」の列の左右方向における位置は、第１の表示変更処理の実行後でも、実行前と同じ側である。そのため、第１の表示変更処理を実行する場合でも、表示部９に表示されている事項の把握が容易である。
（５）血圧計１は、第２の表示変更処理を実行し、差Ｄの履歴を表示することができる。そのため、差Ｄの時間的な変化の傾向を一層容易に理解することができる。
（６）血圧計１は、測定部位である指を脈波検出プローブ左手用２３及び脈波検出プローブ右手用２５に載せ、その指を押圧するだけで、血圧の測定を実行できる。そのため、血圧の測定が一層容易になる。
（７）ユーザは、カフ使用／不使用ボタン２１の操作により、カフによる血圧測定部５を用いる測定と、用いない測定とのうちの一方を容易に選択できる。
【００６０】
６．その他の実施形態
（１）脈波検出プローブ左手用２３、及び脈波検出プローブ右手用２５は、患者の手首、足首、耳等に巻く形式のプローブであってもよいし、手首、足首、耳等を挟むクリップ型のプローブであってもよい。
【００６１】
（２）血圧計１は、それを使用するユーザを選択するユーザ選択ボタンを備えていてもよい。この場合、前記ステップ１４で記憶した校正値は、ユーザ選択ボタンで選択したユーザ名と関連付けて記憶される。また、前記ステップ４、１０で校正する場合は、ユーザ選択ボタンで選択したユーザ名に関連付けられた校正値を読み出し、使用する。
【００６２】
（３）表示部９に表示した内容のうち、所定の条件を満たすものは、強調表示（例えば、ネガ表示、点滅表示）を行ってもよい。所定の条件としては、血圧、差Ｄ等が所定の正常範囲から外れているという条件等が挙げられる。
【００６３】
（４）血圧計１は、表示変更スイッチ２２に対する操作がなくても、所定時間が経過するごとに、表示部９の表示態様を、変更前の表示態様と、変更後の表示態様との間で、交互に切り換えるようにしてもよい。
【００６４】
（５）血圧計１は、カフによる血圧測定部５、及びカフ使用／不使用ボタン２１を備えていなくてもよい。この場合、血圧計１の構造を一層単純化できる。
（６）血圧計１は、差Ｄの代わりに、又は差Ｄに加えて、差Ｄに基き算出された値を算出し、表示部９に表示してもよい。差Ｄに基き算出された値としては、例えば、差Ｄの絶対値、血圧の値に対する差Ｄの比率等が挙げられる。
【００６５】
（７）差Ｄは、左手の血圧から右手の血圧を差し引いた値であってもよい。
【符号の説明】
【００６６】
１…血圧計、３…脈波による血圧測定部、５…カフによる血圧測定部、７…制御部、９…表示部、１１…入力部、１３…右プローブスイッチ、１５…左プローブスイッチ、１７…右校正ボタン、１９…左校正ボタン、２１…カフ使用／不使用ボタン、２１Ａ…ノブ、２２…表示変更スイッチ、２３…脈波検出プローブ左手用、２５…脈波検出プローブ右手用、２７…脈波信号取得部、２９…血圧推定部、３１…カフ、３３…圧力センサ、３５…圧力制御部、３７…血圧測定部、３９…エアチューブ、４１…筐体、４３…レンズ、４５…発光部、４７…受光部、４９…基板、５１…レンズ支持体、５１Ａ…上面、５１Ｂ…フランジ部、５３…開口部、５４…バネ、５５…支持体、５７…固定端子、５９…可動端子、６１…押圧片
【図１】
2015043882.tif 000003
【図２】
2015043882.tif 000004
【図３】
2015043882.tif 000005
【図４】
2015043882.tif 000006
【図５】
2015043882.tif 000007
【図６】
2015043882.tif 000008
【図７】
2015043882.tif 000009
【図８】
2015043882.tif 000010